(57)【要約】【課題】動物の爪や歯により手や腕が傷付くことを抑制可能な手袋を提供すること。【解決手段】手ＨＡを覆う手袋本体１０と、手袋本体１０と一体的に設けられ、腕の一部である前腕ＦＡの外周を覆う袖部２０と、を備え、手袋本体１０および袖部２０は、全体に亘ってスチレン系熱可塑性エラストマーにより形成されている。さらに、手袋本体１０は、小指、薬指、中指に装着する円筒状の指装着部１１，１２，１３と、人差し指ＩＦの先端部を露出した状態で、人差し指ＩＦに装着される円筒状の人差し指ホルダ１４と、親指ＴＨを露出させる親指挿通穴１５を備える。【選択図】図１
2019014991.tif 000002
【特許請求の範囲】
【請求項１】
手を覆う手袋本体と、
前記手袋本体と一体的に設けられ、腕の外周を覆う袖部と、
を備え、
前記手袋本体および前記袖部は、硬度１０〜３０の範囲内の弾性体により形成されている部位を備えた手袋。
【請求項２】
請求項１に記載の手袋において、
前記手袋本体と前記袖部とは、全体に亘って前記弾性体により形成されている手袋。
【請求項３】
請求項１または請求項２に記載の手袋において、
前記弾性体は、スチレン系熱可塑性エラストマーである手袋。
【請求項４】
手を覆う手袋本体と、
前記手袋本体と一体的に設けられ、腕の外周を覆う袖部と、
を備え、
前記袖部は、内側に突出された凸条部が複数形成されている手袋。
【請求項５】
請求項４に記載の手袋において、
前記凸条部は、前記袖部の一端の開口側から前記手袋本体側へ向かって延在されるとともに、周方向に間隔を空けて配置されている手袋。
【請求項６】
請求項１〜請求項５のいずれか１項に記載の手袋において、
前記手袋本体は、手の甲を覆う側に、他の部分よりも厚肉に形成された厚肉部を備える手袋。
【発明の詳細な説明】
【技術分野】
【０００１】
本開示は、手袋に関する。
【背景技術】
【０００２】
従来、手や腕を保護するための手袋が知られている（例えば、特許文献１、特許文献２参照）。
特許文献１に記載の手袋は、繊維製の手袋本体に、金属プレートにより形成されたプロテクタが、指先、指の背面、手の甲を覆うように設けられている。したがって、この手袋を装着すれば、回転鋸歯などから手を保護することができる。
特許文献２に記載には、単繊維繊度が０．００１デシテックス以上１．５デシテックス以下のポリエステル系繊維やポリアミド系繊維などによる極細繊維で構成された手袋が記載されている。したがって、この手袋を装着すれば、アイスピック、目打ち、カスタムナイフなど、鋭利な突起物や先突の刃物から手を保護することができる。
【先行技術文献】
【特許文献】
【０００３】
【特許文献１】特開２００１−２７９５０３号公報
【特許文献２】特開２００７−３２１２６２号公報
【発明の概要】
【発明が解決しようとする課題】
【０００４】
ところで、近年、ペットを扱う職業である獣医やトリマーなどに従事する人が増えている。
このような職業では、動物に対して、治療や、シャンプー、爪切りなどの手入れを行う際に、ペットに噛み付かれたり、引っ掻かれたりするおそれがある。特に、猫の場合、爪が細く鋭いため、手や腕を傷付け易く、さらに、このような引っ掻き傷から、細菌（例えば、バルトネラヘンセラ）が進入して引き起こされる感染症が問題となっている。
なお、診療行為などには医療用のゴム製の手袋を嵌めて行うのが一般的であるが、このようなゴム製の手袋では、猫の爪などの鋭く尖ったものは貫通してしまい、手や腕を傷付けるおそれがあり、その傷口からの感染症に対する保護性が十分ではなかった。
【０００５】
そこで、治療時や、手入れ時の手や腕の保護に好適な手袋の需要が高まっている。しかしながら、従来の手袋では、手や腕の保護を確実にしつつ、作業性を確保することが難しかった。
すなわち、猫の爪は、鋭く尖っている上に細いため、上記特許文献２に記載の繊維系の手袋の場合、爪が繊維の間を通って、手や腕などを傷付けるおそれがある。また、特許文献１に記載の手袋では、保護性能は高いが、多くのプロテクタを備え、動物の触診や手入れなどの細かな作業を行うには不適切である。
【０００６】
本開示は、上記問題に着目してなされたもので、動物の爪や歯により手や腕が傷付くことを抑制しつつ、作業性を確保可能な手袋を提供することを目的とする。
【課題を解決するための手段】
【０００７】
本開示の手袋は、手を覆う手袋本体と、前記手袋本体と一体的に設けられ、腕の外周を覆う袖部と、を備え、
前記手袋本体および前記袖部は、硬度１０〜３０の弾性体により形成されている部位を備える。
また、本開示の手袋は、手を覆う手袋本体と、前記手袋本体と一体的に設けられ、腕の外周を覆う袖部と、を備え、
前記袖部は、内側に突出された凸条部が複数形成されている。
【発明の効果】
【０００８】
本開示の伸縮性に優れた硬度１０〜３０の弾性体により形成した部位を備える手袋は、弾性体により形成された部位では、伸び率が高いため、猫の爪のように鋭く尖ったものに対しても追従変形し、貫通しにくい。したがって、手や腕が、爪などにより直接傷付けられにくく、傷口からの細菌の感染、およびそれによる感染症の発症を抑制することができる。
そして、この手袋では、傷付きを防止する部位は、単に硬度１０〜３０の弾性体により形成しただけであるので、プロテクタなどを用いるものと比較して、作業性を確保できる。
【０００９】
一方、本開示の内側に突出された凸条部が複数形成されている袖部を備える手袋は、装着時には凸条部が腕に当接し、凸条部が形成されていない部位は、腕との間に空間が形成される。したがって、爪などにより引っ掻かれた際に、空間部の分だけ、袖部の変形代を確保でき、引っ掻かれた際に、爪が貫通しにくいとともに、仮に貫通したとしても、空間部が存在することで、腕を傷付けにくい。
そして、この手袋では、単に袖部の内側に凸条部を複数形成しただけであるので、プロテクタなどを用いるものと比較して、作業性を確保できる。
【図面の簡単な説明】
【００１０】
【図１】実施の形態１の手袋Ａを手のひら側から見た底面図である。
【図２】実施の形態１の手袋Ａを手の甲側から見た平面図である。
【図３】図１のＳ３−Ｓ３線での位置の断面を示す断面図である。
【図４】図２のＳ４−Ｓ４線の位置での断面を示す断面図である。
【図５】実施の形態１の手袋Ａの装着状態を示す手のひら側から見た底面図である。
【図６】実施の形態１の手袋Ａの装着状態を示す手の甲側から見た平面図である。
【図７Ａ】実施の形態１の手袋Ａの作用を説明する断面図である。
【図７Ｂ】実施の形態１の手袋Ａの作用を説明する拡大断面図であって、袖部に猫の爪を立てた状態を拡大して示す。
【図８Ａ】実施の形態２の手袋の要部を示す斜視図である。
【図８Ｂ】実施の形態２の手袋の要部の装着状態を示す斜視図である。
【発明を実施するための形態】
【００１１】
以下、本開示の手袋を実現する最良の形態を、図面に示す実施の形態に基づいて説明する。
（実施の形態１）
以下、実施の形態１の手袋Ａについて説明する。
まず、実施の形態１の手袋Ａの構成について説明する。
図１は、実施の形態１の手袋Ａを手のひら側から見た底面図、図２は実施の形態１の手袋Ａを手の甲側から見た平面図、図３は、図１のＳ３−Ｓ３線での位置の断面を示す断面図、図４は、図２のＳ４−Ｓ４線の位置での断面を示す断面図である。
【００１２】
この手袋Ａは、図１、図２に示すように、手袋本体１０と袖部２０とが一体に形成されている。
また、手袋Ａの素材としては、硬度１０〜３０の超弾性体により形成されている。具体的には、手袋Ａは、スチレン系熱可塑性エラストマー製の、厚さが、０．５〜２．５ｍｍ程度であって、好ましくは１．５ｍｍ程度の、硬度１５の薄膜により形成されたものが用いられている。なお、図１、図２では、左手用のものを示しているが、これとは左右対称形状の右手用のものも存在する。
【００１３】
手袋本体１０は、手ＨＡ（図５、図６参照）に装着する部分であり、指装着部１１，１２，１３と、人差し指ホルダ１４と、親指挿通穴１５とを備える。
指装着部１１，１２，１３は、それぞれ、小指、薬指、中指を挿入する部分であり、並列に独立して形成され、先端部が塞がれた円筒状に形成されている。
人差し指ホルダ１４は、人差し指ＩＦ（図５、図６参照）に装着され、人差し指ＩＦの先端部を露出させるとともに、人差し指ＩＦの根本から中間部にかけて覆うよう先端に開口部１４ａを有する円筒状に形成されている。
親指挿通穴１５は、親指ＴＨおよび母指球ＴＢを挿通して露出状態とすることが可能に開口された穴である。
【００１４】
さらに、手袋本体１０は、図２に示すように、手の甲を覆う側に、肉厚を他の部分よりも厚くした厚肉部１６が設けられている。この厚肉部１６は、図示のように、平面形状が略四角形状に形成され、かつ、手の甲側を伸ばし、手のひら側を縮める屈曲変形を容易とするための複数の横溝１６ａが形成されている。
【００１５】
袖部２０は、円筒状に形成され、図１、図２に示すように、一端が、手袋本体１０の手首部分から連続して一体に形成され、反対側の端部は、手ＨＡおよび前腕ＦＡを挿入可能に開口されている。また、本実施の形態１では、袖部２０は、不図示の肘の近傍まで覆うことが可能な長さに形成されている。
【００１６】
さらに、袖部２０は、内周に、内側に向かって突設された複数の凸条部２１を備える。これらの凸条部２１は、周方向に幅が狭く、袖部２０の延在方向（図において矢印Ｂ方向）であって、袖部２０の開口端側から手袋本体１０の側に細長い形状に形成されている。さらに、凸条部２１は、周方向に間隔を空けて全周に亘って（図３参照）配置されるとともに、袖部２０の延在方向に間隔を開けて配置されている。
【００１７】
（実施の形態１の作用）
次に、実施の形態１の手袋Ａの作用を説明する。
この使用時には、基本的には、左右一組の手袋Ａを左右の手ＨＡおよび前腕ＦＡに装着する。
そして、この手袋Ａの装着の際には、図５および図６に示すように、手袋本体１０の部分に手ＨＡを差し入れる。この場合、親指挿通穴１５から母指球ＴＢおよび親指ＴＨを露出し、人差し指ホルダ１４では、人差し指ＩＦの先端部を露出させた状態で挿通する。また、指装着部１１，１２，１３に、それぞれ、図示を省略した小指、薬指、中指を挿通する。
【００１８】
したがって、親指ＴＨと人差し指ＩＦとは、物や動物に直接接触可能であるため、全ての指が指装着部１１，１２，１３のように先端まで覆われている場合と比較して、手袋Ａを嵌めたままで、触診を行うことができるとともに、繊細な作業を行うことができる。
【００１９】
また、他の３本の指を挿入した指装着部１１，１２，１３も、厚さ０．５〜２．５ｍｍ程度の弾性材であるスチレン系熱可塑性エラストマー製の薄膜であるから、弾性変形が容易であり、手ＨＡ全体の把持作業など、容易に行うことができる。
【００２０】
ところで、獣医やトリマーなどが、治療や、ジャンプー、爪切りなどの手入れなどを行う場合、動物に噛まれたり引っ掻かれたりすることがある。特に、猫の爪ＣＮは、先端が鋭く尖っているため、ゴム製や繊維製の手袋では、手袋を貫通し、前腕ＦＡや手ＨＡを直接傷付けるおそれがある。
【００２１】
それに対し、本実施の形態１の手袋Ａは、伸び率が７２０〜１２００％という特性を有するスチレン系熱可塑性エラストマー製であるため、猫の鋭く尖った爪ＣＮであっても、図７Ｂに示すように、爪ＣＮの形状に応じて変形し、貫通する可能性が極めて低い。
したがって、手ＨＡや前腕ＦＡが、爪ＣＮにより直接傷付けられることが生じにくい。これにより、爪ＣＮに付着した細菌（例えば、バルトネラヘンセラ）が傷口から進入して感染症（例えば、猫引っ掻き病）を引き起こすことも生じにくい。
【００２２】
特に、手袋Ａは、袖部２０に凸条部２１を設け、周方向で凸条部２１どうしの間であって、袖部２０と前腕ＦＡとの間に、空間ＳＰが形成されている。そして、この空間ＳＰは、袖部２０の開口端側から手袋本体１０に至るまで連続して確保されている。このため、袖部２０において、凸条部２１以外の部分が、前腕ＦＡに面接触しにくく、袖部２０の全体に亘って空間ＳＰによる通気性を確保し、蒸れなどを抑制することができる。さらに、図７Ａに示すように、この袖部２０を引っ掻かれた場合、図７Ｂに示すように、空間ＳＰにより爪ＣＮと前腕ＦＡとが接触しにくいとともに、変形代を確保できる。したがって、爪ＣＮの形状への追従性がさらに高まり、上記の傷付抑制性能がさらに向上する。
【００２３】
さらに、手袋Ａは、手の甲側に厚肉部１６を形成しているため、この部位を引っ掻かれても、手ＨＡの甲を傷付けにくい。すなわち、治療や手入れなどを行う場合、手のひら側は、器具などを把持したり、動物に直接触れたりしている場合が多く、引っ掻かれにくいのに対し、手ＨＡの甲側は、器具などにより覆われることが殆どないため、直接引っ掻かれ易い。このように、引っ掻かれ易い手ＨＡの甲側に厚肉部１６を形成しているため、引っ掻かれた場合に、十分な弾性変形代を有していなくても、爪ＣＮが貫通しにくく、引っ掻きによる傷付をより確実に抑制することができる。
【００２４】
（実施の形態１の効果）
以下に、実施の形態１の効果を列挙する。
１）実施の形態１の手袋Ａは、
手ＨＡを覆う手袋本体１０と、
手袋本体１０と一体的に設けられ、腕の一部である前腕ＦＡの外周を覆う袖部２０と、
を備え、
手袋本体１０および袖部２０は、全体に亘って硬度１０〜３０の範囲内の弾性体により形成されている。
したがって、猫などにより引っ掻かれた場合に、手袋Ａが、爪ＣＮの形状に追従して弾性変形し、爪ＣＮが直接、前腕ＦＡや手ＨＡに達して傷付けることが生じにくい。これにより、傷口から細菌が入って、感染症を引き起こすことが生じにくい。
そして、この手袋Ａでは、単に硬度１０〜３０の弾性体により形成することで、傷付き、および感染の抑制を行うため、プロテクタなどを用いるものと比較して、作業性を確保できる。
【００２５】
２）実施の形態１の手袋Ａは、
スチレン系熱可塑性エラストマー製である手袋。
したがって、硬度１０〜３０の範囲内に形成することが容易である。特に、実施の形態１のように、硬度１５程度に形成することで、爪ＣＮの形状への追従性を確実に確保して、上記１）の効果をより確実に得ることができる。
【００２６】
３）実施の形態１の手袋Ａは、
手ＨＡを覆う手袋本体１０と、
手袋本体１０と一体的に設けられ、腕の一部である前腕ＦＡの外周を覆う袖部２０と、
を備え、
袖部２０は、内側に突出された凸条部２１が複数形成されている。
したがって、袖部２０と前腕ＦＡとの間に空間ＳＰが保持され、動物（特に、猫）に噛みつかれたり、引っ掻かれたりした際の、袖部２０における歯や爪ＣＮの接触箇所と前腕ＦＡとの間の距離（空間ＳＰ）を確保し、歯や爪ＣＮが前腕ＦＡに直接接触するのを抑制できる。加えて、空間ＳＰにより、歯や爪ＣＮの形状に追従変形するため変形代を確保でき、それによる傷付防止性能が向上する。また、袖部２０の内側の通気性を確保して、装着快適性を確保できる。
【００２７】
４）実施の形態１の手袋Ａは、
凸条部２１は、袖部２０の一端の開口側から手袋本体１０側へ向かって延在されるとともに、周方向に間隔を空けて配置されている。
したがって、袖部２０の開口端側から手袋本体１０に至る通気性を確保することができる。また、凸条部が周方向に延在されているものと比較して、手ＨＡおよび前腕ＦＡの出し入れも、スムーズに行うことができる。
【００２８】
５）実施の形態１の手袋Ａは、
手袋本体１０は、手の甲を覆う側に、他の部分よりも厚肉に形成された厚肉部１６を備える。
したがって、作業中に、動物（特に、猫）に噛みつかれたり、引っ掻かれたりし易い、手の甲を、より確実に保護することができる。
【００２９】
６）実施の形態１の手袋Ａは、
手袋本体１０は、親指ＴＨと人差し指ＩＦとを出すことができる穴としての開口部１４ａおよび親指挿通穴１５を備える。
したがって、治療や、手入れなどの際に、手袋Ａを装着したままであっても、親指ＴＨ、人差し指ＩＦを、開口部１４ａおよび親指挿通穴１５から出して、器具などを直接触ることが可能であり、触診や細かな作業を実行可能である。よって、使い勝手に優れる。
【００３０】
７）実施の形態１の手袋Ａは、
手袋本体１０は、小指、薬指、中指に装着する円筒状の指装着部１１，１２，１３と、人差し指ＩＦの先端部を露出した状態で、人差し指ＩＦに装着される円筒状の人差し指ホルダ１４と、親指ＴＨを露出させる親指挿通穴１５を備える。
したがって、５本の指を、それぞれ、独立して動かすことが可能であり、使い勝手に優れる。
【００３１】
（他の実施の形態）
次に、本開示の他の実施の形態について説明する。
以下の他の実施の形態の説明は、ピーク時刻の電力需要量を低下させる処理の具体例の説明である。
（実施の形態２）
図８Ａは、実施の形態２の手袋の要部を示す斜視図であり、図８Ｂは、実施の形態２の手袋の要部の装着状態を示す斜視図である。
【００３２】
実施の形態２は、指装着部２１５，２１４，２１３を、親指ＴＨ、人差し指ＩＦおよび中指（不図示）を出し入れ可能に形成した例である。
【００３３】
すなわち、指装着部２１５，２１４，２１３は、それぞれ、親指ＴＨ、人差し指ＩＦ、中指（不図示）を挿入可能な円筒形状であるとともに、先端部は、塞がっている。
そして、指装着部２１５，２１４，２１３は、それぞれ、その中間部であって、基端部２１５ａ，２１４ａ，２１３ａの先端部に開口部２１５ｃ，２１４ｃ，２１３ｃが形成されている。そして、指先を挿入可能な先端カバー部２１５ｂ，２１４ｂ，２１３ｂは、一部が、基端部２１５ａ，２１４ａ，２１３ａと連続して形成されているとともに、開口部２１５ｃ，２１４ｃ，２１３ｃを覆って設けられている。なお、先端カバー部２１５ｂ，２１４ｂ，２１３ｂの基端側は、基端部２１５ａ，２１４ａ，２１３ａにラップ代を有して設けられている。なお、この実施の形態２にあっても、手袋の素材は、スチレン系熱可塑性エラストマーが用いられ、硬度が１０〜３０の範囲内に形成されている。
【００３４】
また、不図示の薬指および小指用の指装着部（１１，１２）は、実施の形態１と同様に、形成されているものとするが、指装着部２１３，２１４，２１５と同様に、基端部、先端カバー部、開口部を備えた構成とすることもできる。
【００３５】
この実施の形態２の手袋では、親指ＴＨ、人差し指ＩＦ、中指（不図示）を、それぞれ、図８Ａに示すように、先端カバー部２１５ｂ，２１４ｂ，２１３ｂおよび基端部２１５ａ，２１４ａ，２１３ａに連続的に挿入することができる。
この場合、親指ＴＨ、人差し指ＩＦ、中指（不図示）の全体を覆って、保護することができる。
【００３６】
また、指先の細かな作業が必要な場合は、図８Ｂに示すように、先端カバー部２１５ｂ，２１４ｂを捲って、親指ＴＨ、人差し指ＩＦの指先を露出させ、指先を使った繊細な作業を行うことができる。なお、図８Ｂでは、指装着部２１３においても、先端カバー部２１３ｂを捲って、中指（不図示）の先端部を手袋から露出させることも可能である。
【００３７】
以上、本開示の実施の形態を図面に基づき説明してきたが、具体的な構成については、この実施の形態に限られるものではなく、特許請求の範囲の各請求項に係る発明の要旨を逸脱しない限り、設計の変更や追加等は許容される。
【００３８】
例えば、実施の形態では、手袋本体と袖部とが、連続して一体に形成されたものを示したが、これに限定されるものではなく、手袋本体と袖部とは、別体に形成し、これを一体に結合したり、両者を着脱可能に連結したりしてもよい。
【００３９】
また、実施の形態では、硬度が１０〜３０の範囲内の弾性体により形成された部位を備える手袋の素材としては、スチレン系熱可塑性エラストマー製の硬度１５のものを用いたが、硬度が１０〜３０の範囲内であれば、所期の保護性能を得ることができる。
また、実施の形態では、手袋全体を、硬度１０〜３０の範囲内の弾性体としての硬度１５のスチレン系熱可塑性エラストマーにより形成した例を示したが、この硬度１０〜３０の弾性体により形成する範囲は、手袋全体に限定されず、噛まれたり、引っ掻かれたりし易い一部の部位を硬度１０〜３０の範囲内の弾性体により形成してもよい。この場合、例えば、手のひら側を繊維やゴムなど他の素材により形成し、引っ掻かれ易い手の甲側を、硬度１０〜３０の範囲内の弾性体により形成してもよい。袖部も同様に、腕の内側に配置される側を繊維やゴムなど他の素材により形成し、引っ掻かれ易い外側を、硬度１０〜３０の範囲内の弾性体により形成してもよい。さらに、硬度１０〜３０の範囲内の弾性体であれば、その素材としては、スチレン系熱可塑性エラストマーに限定されるものではない。
加えて、手袋の厚さは、実施の形態では、０．５〜２．５ｍｍ程度であって、好ましくは１．５ｍｍ程度としたが、この厚さは、使い勝手と硬度とに基づいて、適宜、決めることができる。
【００４０】
また、実施の形態では、袖部が、内側に突出された凸条部を備える手袋として、スチレン系熱可塑性エラストマー製の硬度１５もしくは硬度が１０〜３０の範囲内のものを例示したが、これに限定されるものではない。すなわち、硬度が１０〜３０の範囲外のものであっても、袖部に凸条部を複数備えることにより、袖部と腕との間に空間を形成し、これにより、仮に、爪が袖部を貫通したとしても、爪が腕に触れて傷付ける可能性を低減できる。したがって、凸条部が形成されたものでは、硬度が１０〜３０の範囲で弾性変形するもの以外の素材（例えば、硬度が３０よりも高いゴムなど）を使用することができる。逆に、硬度が１０〜３０の範囲内のものでは、必ずしも、凸条部を設けなくてもよい。
【００４１】
さらに、実施の形態では、親指、人差し指を、出し入れ可能として、繊細な作業を行う際に、器具や動物などに直接接触することが可能としたものを示したが、これに限定されるものではなく、全ての指を先端まで覆うようにしてもよい。また、出し入れ可能な指としては、親指と人差し指が好ましいが、これに限定されるものではない。
また、実施の形態１では、常時、親指と人差し指を手袋から出した状態で装着する手袋を例示したが、例えば、親指のみ、常時、手袋から出した状態とし、人差し指は、指装着部１１〜１３と同様に、全体に覆ったり、あるいは、実施の形態２のように、手袋により覆った状態と、手袋から出した状態とに変形できるようにしたりしてもよい。
さらに、親指を手袋から常時出す場合でも、実施の形態１のように、母指球部分から出すのではなく、人差し指ホルダ１４と同様に、親指の途中から常時出すようにしてもよい。
【００４２】
また、実施の形態では、袖部は、不図示の肘の近傍まで覆うことが可能な長さに形成された例を示したが、これに限定されず、肘よりも上部まで覆うことが可能な長さに形成してもよい。
さらに、凸条部は、袖部のみに形成した例を示したが、手袋本体の手の甲を覆う部分などに設けてもよい。また、凸条部は、袖部の延在方向に沿って設けた例を示したが、これに限定されず、袖部の周方向に延在させたり、あるいは、渦巻き状に形成したりしてもよい。
【００４３】
そして、実施の形態１では、手袋本体は、５本の指をそれぞれ独立して動かすことが可能に、指装着部１１，１２，１３は、独立して形成したものを示したが、これに限定されず、例えば、３本の指をまとめて装着するいわゆるミトン状に形成したり、２本の指（例えば、中指、薬指）をまとめて装着するような形状としたりしてもよい。
【符号の説明】
【００４４】
１０   手袋本体
１１，１２，１３     指装着部
１４   人差し指ホルダ
１４ａ 開口部
１５   親指挿通穴
１６   厚肉部
２０   袖部
２１   凸条部
２１３，２１４，２１５      指装着部
２１３ａ，２１４ａ，２１５ａ       基端部
２１３ｂ，２１４ｂ，２１５ｂ       先端カバー部
２１３ｃ，２１４ｃ，２１５ｃ       開口部
Ａ     （実施の形態１の）手袋
ＣＮ   （猫の）爪
ＦＡ   前腕（腕）
ＨＡ   手
ＩＦ   人差し指
ＳＰ   空間
ＴＢ   母指球
ＴＨ   親指
【図１】
2019014991.tif 000003
【図２】
2019014991.tif 000004
【図３】
2019014991.tif 000005
【図４】
2019014991.tif 000006
【図５】
2019014991.tif 000007
【図６】
2019014991.tif 000008
【図７Ａ】
2019014991.tif 000009
【図７Ｂ】
2019014991.tif 000010
【図８Ａ】
2019014991.tif 000011
【図８Ｂ】
2019014991.tif 000012